(57)【特許請求の範囲】
【請求項１】
開閉器等のケース１４の外部に突出固定した本体碍子５の貫通孔５ａには中心導体６を貫通固定し、しかも、ケース外の中心導体６の先端６ａには電線接続端子１を圧縮固定し、さらに圧縮固定部１ｅには同固定部１ｅの外周面に披着する遮蔽体保持具２と同保持具２の外周面に遮蔽体保持具取付穴３ｄに貫通して取り付け固定した遮蔽体３からなるブッシング７において、
前記遮蔽体保持具２は、筒型の多角柱を長手方向に２分割し当該分割箇所に隙間を設けた薄肉で合成樹脂性の部片からなり、内面２ａを多面形状の前記圧縮固定部１ｅに対し密着させるとともに外面２ｂを多面形状の前記遮蔽体保持具取付穴３ｄに対し密着させ、両端を前記電線接続端子１の前記圧縮固定部１ｅ、および、前記遮蔽体３の前記遮蔽体保持具取付穴３ｄに設けた壁（３ｈ、３ｊ）にそれぞれ係止させたことを特徴とする開閉器等のブッシングにおける遮蔽体の取付構造。
【発明の詳細な説明】
【技術分野】
【０００１】
本発明は、開閉器等のブッシングの遮蔽体を簡単且つ確実に固定するための遮蔽体の取付構造に関するものである。
【背景技術】
【０００２】
従来、開閉器等のブッシングの遮蔽体として、次のような構造が知られている。遮蔽体を固定する為の遮蔽体保持具を有し、該保持具は合成樹脂で形成されており、切り込み部を有し、固定の際はこの切り込み部を展開し、電線接続端子の圧縮固定部に押し込むことで取り付けられる。また該保持具には係止突起を有し遮蔽体の透孔との係合固定することで遮蔽体が固定される構造となっている（例えば、特許文献１参照。）。
【特許文献１】特開２００６−２１００７２号公報
【発明の開示】
【発明が解決しようとする課題】
【０００３】
ところが、特許文献１に記載された遮蔽体保持具においては、電線接続端子と固定するには押し広げる為に割れが生じたり、押し広げた場合、変形し戻らず遮蔽体と上手く嵌合できない場合もあった。また、電線接続端子の圧縮固定部の断面は六角形で該保持具の内面も六角形である為、全周と密着する必要がある。そのため該保持具は精度が必要になり、さらに該保持具の構造は複雑になりコスト高の原因であった。また、遮蔽体と遮蔽体保持具の固定には該保持具の４つの係止突起と４つ遮蔽体の透孔を嵌合させなければならず、取付作業効率が悪かった。
【０００４】
本発明は、前述した事情を鑑みてなされたものであって、その目的は、遮蔽体と遮蔽体保持具を確実且つ取付作業が容易に行え、使用部材の構造が簡単で安価に提供することにある。
【課題を解決するための手段】
【０００５】
請求項１に記載の発明は、開閉器等のケース１４の外部に突出固定した本体碍子５の貫通孔５ａには中心導体６を貫通固定し、しかも、ケース外の中心導体６の先端６ａには電線接続端子１を圧縮固定し、さらに圧縮固定部１ｅには同固定部１ｅの外周面に披着する遮蔽体保持具２と同保持具２の外周面に遮蔽体保持具取付穴３ｄに貫通して取り付け固定した遮蔽体３からなるブッシング７において、
前記遮蔽体保持具２は筒形状を長手方向に少なくとも２以上に分割した薄肉で合成樹脂製の部片からなり、しかも同遮蔽体保持具２は前記電線接続端子１の前記圧縮固定部１ｅにその一部を係止して軸方向への動きを規制し、また多面形状に形成したその内面２ａを多面形状の前記圧縮固定部１ｅに対し回動不能に密着嵌合すると共さらに同遮蔽体保持具２の多面形状の外面２ｂを前記遮蔽体３に設けられた多面形状の前記遮蔽体保持具取付穴３ｄに対し回動不能に密着嵌合すると同時に同遮蔽体保持具２の一部を前記遮蔽体３の前記遮蔽体保持具取付穴３ｄに設けた係止手段（３ｈ、３ｊ）に係止させて軸方向への動きを規制したことを特徴とする開閉器等のブッシングにおける遮蔽体の取付構造を提供する。
【０００６】
請求項２に記載の発明においては、前記遮蔽体保持具取付穴３ｄに設けた係止手段（３ｈ、３ｊ）は、前記遮蔽体３は弾性を有する絶縁性樹脂材料又は絶縁性ゴムにより形成し、さらに前記遮蔽体３の内周３ａに前記遮蔽体保持具２の両端面を挟持するための壁３ｈ、３ｊを設けた請求項１に記載の開閉器等のブッシングにおける遮蔽体の取付構造を提供する。
【０００７】
請求項３に記載の発明においては、前記遮蔽体保持具２の前記圧縮固定部１ｅに対する軸方向に対する係止手段は、前記遮蔽体保持具２の端面２ｅが前記圧縮固定部１ｅに係止して軸方向への動きを規制した請求項１に記載の開閉器等のブッシングにおける遮蔽体の取付構造を提供する。
【０００８】
請求項４に記載の発明においては、前記遮蔽体保持具２の前記圧縮固定部１ｅに対する軸方向に対する係止手段は、前記遮蔽体保持具２の内周３ａに設られた段付２ｃが前記圧縮固定部１ｅに係止して軸方向への動きを規制した請求項１に記載の開閉器等のブッシングにおける遮蔽体の取付構造を提供する。
【発明の効果】
【０００９】
本発明は、上記構成の開閉器等のブッシングの遮蔽体において、遮蔽体を中心導体に対して確実に固定し、これにより回転方向及び軸方向への動きを規制し、且つ取付作業が容易に行うことができる。
【発明を実施するための最良の形態】
【００１０】
（第１実施形態）
以下、本発明を開閉器用ブッシングに具体化した第１実施形態を図１〜１０に従って説明する。
【００１１】
［ブッシングの概略構成］
ブッシング７は、図１に示すように、開閉器の本体ケース１４の側面に貫通固定されており、本体碍子５、中心導体６、電線接続端子１、２分割された部片からなる遮蔽体保持具２、遮蔽体３、絶縁カバー４、六角ナット８、１３、ワッシャ９廻止め１０、廻止めパッキン１１、１２から構成されている。
【００１２】
ブッシング７の本体碍子５は概略、円筒状であり、本体碍子５は中心に貫通孔５ａが設けられ、さらに導電性の金属材料からなる丸棒状に形成された中心導体６が貫通固定されている。中心導体６の開閉器の本体ケース側の先端には、可動電極又は固定電極（特に図示しない）が設けられている。また本体碍子５の他方側には遮蔽体３が設けられており、さらに遮蔽体３の他方側に位置する中心導体６の先端部には電線接続端子１が設けられている。以下、ブッシング7の構成について詳細に説明する。
【００１３】
［本体碍子］
本体碍子５は開閉器の本体ケースの側面に貫通固定され、磁器又は絶縁性合成樹脂材料より形成されている。また本体碍子５の遮蔽体３側の端部には、開口された第１筒５ｂと第２筒５ｃからなる２重筒が形成されている。さらに、中心導体６を固定する為の貫通孔５ａが設けられている。                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                              
【００１４】
［電線接続端子］
電線接続端子１は圧縮端子形からなるもので、導電性の金属材料（例えば銅など）から形成されている。図２（ａ）に示すように、該端子１は、中心導体６と圧縮固定する為に設けられた円筒部１ａと電線を接続する為の板状の電線接続部１ｂから構成されている。また、円筒部１ａには中心導体６の先端部６ａが挿入され、その後、断面が図２（ｂ）、（ｃ）のような六角形になるように圧縮固定される。また、該接続部１ｂに電線を接続する際には電線の端部にかしめられた接続用端子を用いる。さらに、該接続部１ｂには、ボルト及びナットで接続用端子（図示しない）を締付固定する為の取付穴１ｃ、１ｄが設けられている。
【００１５】
［遮蔽体保持具］
遮蔽体保持具２は弾性を有し、摩擦係数の低い絶縁性樹脂材料（例えばナイロン、ＰＯＭなど）により形成されている。図３（ａ）に示すように該保持具２は、概略、一様な肉厚で電線接続端子１の断面形状が六角形の圧縮固定部１ｅの外周に密着嵌合するために内面２ａ及び外面２ｂが六角形の筒形状をおり、さらに該保持具２は筒形状を長手方向（上下）に２分割した部片から構成されている。また、該保持具２は後述する遮蔽体３を被着した時、該保持具２が該圧縮固定部１ｅへ密着するように変形可能な薄肉に形成されている。さらに、嵌合部は該保持具２が上記端子１と嵌合した際に該保持具２が該圧縮固定部１ｅと密着する為の隙間Ｅができるよう形成されている。そして、図５（ｂ）のように該保持具２の幅Ｄは、該保持具２が該圧縮固定部１ｅに嵌合した状態で中心導体６の軸方向への動きを規制する為に、軸方向に対して該圧縮固定部１ｅに嵌合する長さである。
【００１６】
［遮蔽体］
遮蔽体３は弾性を有する絶縁性樹脂材料又は絶縁性ゴム（例えはＥＥＡ、ＥＰＴなど）により形成されている。また図４に示すように概略、外筒部３ａ、傘部３ｂ、鍔部３ｃ、遮蔽体保持具取付穴３ｄ、絶縁カバー取付部３ｅ、内筒部３ｆを備えており、これらは一体成形されている。さらに、外筒部３ａと傘部３ｂは、本体碍子５の第１筒部５ｂと第２筒部５ｃの空間Ｓ１と第２筒部５ｃと中心導体６の空間Ｓ２を覆うような形状に形成されている。また、鍔部３ｃには端子カバー（図示しない）が嵌合されるよう形成されている。そして、内筒部３ｆの内周は該保持具取付穴３ｄと絶縁カバー取付部３ｅから構成されている。さらに、本体碍子５側には段付３ｇが設けられている。図１に示すように絶縁カバー取付部３ｅには後述する絶縁カバー４が嵌合する。
【００１７】
よって、中心導体６が遮蔽体３から絶縁カバー４に至るまで覆われており、これにより絶縁される。また、該保持具取付穴３ｄは上記保持具２が上記圧縮固定部１ｅと嵌合後の外周形状と相似で若干小さめの六角形になっている。そのため遮蔽体３は取付時において、上記保持具２を介して、上記圧縮固定部１ｅに圧縮固定される。遮蔽体３により上記保持具２は圧縮固定されることや該圧縮固定部１ｅの断面形状と該保持具２の内面２ａ及び外面２ｂと該保持具取付穴３ｄが六角形あることにより、軸方向に対して回転しない。また、絶縁カバー取付部３ｅは絶縁カバー４の第１筒部４ａと嵌合する形状になっている。
【００１８】
図６は、遮蔽体３と上記保持具２の電線接続端子１を省略した時の嵌合状態を示す。図６（ａ）は嵌合前、図６（ｂ）は嵌合後を示す。図６（ｃ）のように上記保持具取付穴３ｄには壁３ｈ、３ｊが設けられている。さらに壁３ｈ、３ｊの間には上記保持具２の幅Ｄと同じ長さの上記保持具固定部３ｉが設けられている。図６（ａ）のように上記接続部１ｂ側より上記保持具２を挿入し、壁３ｈを乗り越えて壁３ｊとの間に上記保持具２をはめ込む構造になっている。また、壁３ｈ、３ｊは上記保持具の軸方向へストッパの役割を果たす。さらに、壁３ｈは上記保持具２の挿入する際に挿入し易いよう、上記接続部１ｂ側が低く本体碍子５側に向かうにつれて高くなる傾斜を設けられている。その上、壁３ｊの該保持具固定部３ｉ側から、本体碍子５側に向かうにつれて低くなる傾斜が設けられている。図４（ｂ）において、壁３ｈは上下の一辺ずつに対向して形成され、壁３ｊは左右の二辺ずつに対向して形成されており、これにより、上記保持具２が軸方向に移動することを防止している。
【００１９】
［絶縁カバー］
絶縁カバー４は、絶縁性を有する絶縁性樹脂材料又は絶縁性ゴム（例えばＥＶＡなど）により形成されている。絶縁カバー４は概略、大径の円筒部からなる第１筒部４ａと、小径の円筒部からなる第２筒部４ｂで構成されている。図１に示すように第１筒部４ａの外周は、上記絶縁カバー取付部３ｅの内面に嵌合する大きさに形成されている。また、第１筒部４ａの内周は、上記端子１の円筒部１ａの外周とほぼ同じ大きさに形成されている。次に第２筒部４ｂの外周は、本体碍子５の第２筒５ｂよりも小さく、中心導体６のネジ切部６ｂの絶縁を維持できる肉厚で一様に覆うことのできる大きさである。また、第２筒部４ｂの内周は、ネジ切部６ｂの外周の大きさとほぼ同じである。絶縁カバー４は遮蔽体３を取り付けた後、開閉器の本体ケース側より第１筒部４ａを遮蔽体３の上記絶縁カバー取付部３ｅに挿入することで、遮蔽体３から絶縁カバー４に至るまで中心導体６が絶縁される。
【００２０】
このため、工事の際に使用されるバインド線や鳥が営巣のために運んで来る針金等が隙間を経て入り込んでも、充電部に直接接触することはない。従ってバインド線や針金等の侵入により起こる地絡事故や相間短絡事故を抑制することができる。また、図１のように絶縁カバー４は、遮蔽体３の段付３ｇに第１筒部４ａの端面が当たり、さらに、第２円筒部４ｂの開閉器の本体ケース側の先端部が六角ボルト８の端面に当たる。これにより、絶縁カバー４は遮蔽体３が本体碍子５側に移動することを防止する補助的なストッパの役割も果たす。
【００２１】
該保持具２及び遮蔽体３の取付方法について図１〜図１０に沿って説明する。
【００２２】
図１において、まず中心導体６と上記端子１とを一体化させる為、中心導体６の先端６ａに上記端子１を円筒部１ａから挿入し円筒部１ａを圧縮固定する。その後、上記圧縮固定部１ｅの外周に上記保持具２の内面２ａを嵌合させる。さらに、これらを保持しながら遮蔽体３の上記保持具取付穴３ｄと上記保持具２の外面２ｂを嵌合させるように、遮蔽体３を開閉器の本体ケース側から図６（ｂ）、（ｃ）のように上記保持具２が遮蔽体３の上記保持具取付穴３ｄにおける壁３ｈ、壁３ｊの上記保持具固定部３ｉに収まるまで挿入嵌合させる。
【００２３】
次に、図１に示すように絶縁カバー４を中心導体６に挿入させる。その後、第１筒部４ａの端部を、開閉器の本体ケース側から遮蔽体３の上記絶縁カバー取付部３ｅに嵌合させる。さらに段付３ｇに突き当たるまで挿入する。その後、中心導体６のネジ切部６ｂに開閉器の本体ケース側より六角ナット８を締め込み、ワッシャ９と廻止め１０を挿入する。さらに、開閉器の本体ケース側より本体碍子５を挿入する。その後、廻止めパッキン１１、１２を挿入する。さらに、図１に示すように中心導体６の開閉器の本体ケース側にもネジ切部６ｃがあり、開閉器の本体ケース側より六角ナット１３で締付固定することで、本体碍子５がナット８及び１３により狭持される。
【００２４】
よって、本実施例において、以下のような作用・効果を得ることができる。上記保持具２の内面２ａは上記圧縮固定部１ｅと嵌合する六角形を形成しており、上記保持具２の外面２ｂと遮蔽体３の上記保持具取付穴３ｄは嵌合する形状に形成されている。また、遮蔽体３は弾性樹脂材料又はゴムで形成されている。このため、上記端子１及び上記保持具２が圧縮固定され、上記圧縮固定部１ｅの断面形状と上記内面２ａ及び上記外面２ｂと上記保持具取付穴３ｄが六角形であることにより回転軸方向に対する動きが規制される。
【００２５】
さらに上記端子１と上記保持具２は、図５（ｂ）のように上記圧縮固定部１ｅの段と上記保持具２の端面２ｅにより固定される。また遮蔽体３と上記保持具２は、図６（ｂ）において、遮蔽体３の上記保持具固定部３ｉに上記保持具２がはまり込む構造になっている。また遮蔽体３は弾性樹脂材料又はゴムにより形成されている。これにより、遮蔽体３、上記保持具２、該端子１が軸方向への動きを規制される。
【００２６】
したがって、上記構成において遮蔽体３及び上記保持具２の構造が簡素にでき、さらに遮蔽体３と上記保持具２の取付が確実且つ容易な為、作業効率を高めることができる。
【００２７】
（第２実施形態）
次に、本発明の第２実施形態を図８〜１０に従って説明する。本実施形態は電線接続端子の圧縮固定部の形状及び遮蔽体保持具の形状が主に異なる。よって上記第１実施形態と同一の部材構成については同一の符号を付加し、その重複した説明を省略する。
【００２８】
［電線接続端子］
第２実施形態における電線接続端子１は第１実施形態と同様に中心導体６と一体化する為に圧縮固定する。図８（ａ）、（ｂ）に示すように、電線接続端子の圧縮固定部１ｅの幅Ｃ´は遮蔽体保持具２の長さＤより短く、さらに後述する遮蔽体保持具２に設けられた段付２ｃの幅Ｅと嵌合する長さとしている。また、図８（ｃ）、（ｄ）に示すように圧縮固定部１ｅの断面は第１実施形態と同様に六角形を形成している。その他、電線接続端子１の構成については第１実施形態と同様とする。
【００２９】
［遮蔽体保持具］
第２実施形態における遮蔽体保持具２は図９（ａ）、（ｂ）に示すように概略、六角形の筒形状であり、中心部に段付２ｃが設けられている。さらに、この段付２ｃの内面２ｄは圧縮固定部１ｅの外周に嵌合するために同様の形状を形成している。そして前述したように、この段付２ｃの幅Ｅは圧縮固定部１ｅの幅Ｃ´と嵌合する長さとしている。さらに、遮蔽体保持具２についての他の構成については、第１実施形態と同様である。これにより組立後は、第１実施形態と同様に遮蔽体３の弾性により電線接続端子１と遮蔽体保持具２は圧縮固定される。さらに、圧縮固定部１ｅの形状が六角形であることと同圧縮固定部１ｅの外周と遮蔽体保持具２の内面２ｄが嵌合することで回転軸方向への動きが規制される。そして、圧縮固定部１ｅと段付２ｃが嵌合することで軸方向への動きが規制される。
【００３０】
前述したように、第２実施形態においては電線接続端子１及び遮蔽体保持具２が第１実施形態と異なる。これは第１実施形態に比べ通電容量が小さな場合を想定しており、この場合においては中心導体６の径は第１実施形態より小さくなる。しかし、できる限り部品を共有化したいという要望がある。そこで遮蔽体保持具２に上記のような段付２ｃを設けることにより、遮蔽体３等の共有化を図っている。
【００３１】
また、第１、第２実施形態では、遮蔽体３の廻り止めの為に、圧縮固定部１ｅの断面形状は六角形であったが、該断面と上記保持具２の内面２ａの形状が同形状で上記保持具２の外面２ｂと遮蔽体３の上記保持具取付穴３ｄの形状が同形状で且つ各形状には最低１つの平面があればよい。さらに上記保持具２は分割後に最低１つの平面があるように分割すればよい。
【００３２】
前実施形態では、上記保持具３は図３（ａ）、図８（ａ）のように３辺の２分割であったが、最低２辺の分割としてもよい。
【００３３】
前実施形態では、壁３ｈ及び壁３ｊは図６（ｂ）、（ｃ）に示すように壁３ｈが壁３ｊより低くなっているが、逆の場合でもよい。また壁３ｈ、壁３ｊの高さが同じでもよい。
【００３４】
前実施形態では、壁３ｈ及び壁３ｊは図６（ｂ）、（ｃ）に示すように壁３ｈと壁３ｊに傾斜を設けてあったが、傾斜はなくてもよい。
【図面の簡単な説明】
【００３５】
【図１】本実施形態における開閉器用のブッシングの部分断面図。
【図２】（ａ）は、本実施形態における電線接続端子の正面図。（ｂ）は、図２（ａ）のＡ−Ａ断面図。（ｃ）は、図２（ａ）のＢ−Ｂ断面図。
【図３】（ａ）は、本実施形態における遮蔽体保持具の斜視図。（ｂ）は、同じく正面図。
【図４】（ａ）は、本実施形態における遮蔽体の斜視図。（ｂ）は、同じく正面図。（ｃ）は、同じく右側面図。（ｄ）は、図４（ｂ）におけるＡ−Ａ断面図。（ｅ）は、図４（ｂ）における遮蔽体のＢ−Ｂ断面図。
【図５】（ａ）は、本実施形態における電線接続端子と遮蔽体保持具の取付前図。（ｂ）は、同じく取付後の部分断面図。
【図６】（ａ）は、本実施形態における電線接続端子を省略した時の遮蔽体と遮蔽体保持具の嵌合前の断面図。（ｂ）は、同じく嵌合後の断面図。（ｃ）は、図６（ｂ）おけるＡ部拡大図。
【図７】（ａ）は、本実施形態における絶縁カバーの斜視図。（ｂ）は、同じく正面図。（ｃ）は、図７（ｂ）のＡ−Ａ断面図。
【図８】（ａ）は、他実施例における電線接続端子と遮蔽体保持具の取付前図。（ｂ）は、同じく取付後の部分断面図。
【図９】（ａ）は、他実施形態における遮蔽体保持具の斜視図。（ｂ）は、同じく正面図。
【図１０】（ａ）は他実施例における遮蔽体保持具と遮蔽体の組み付け前断面図。（ｂ）は、同じく組み付け後断面図。（ｃ）は、図１０（ｂ）おけるA部拡大図。
【符号の説明】
【００３６】
１            電線接続端子
１ｅ          電線接続端子の圧縮固定部
２            遮蔽体保持具
２ａ          遮蔽体保持具の内面
２ｂ          遮蔽体保持具の外面
２ｃ          内周に設けられた段付
２ｅ          遮蔽体保持具の端面
３            遮蔽体
３ａ          遮蔽体の内周
３ｈ，３ｊ    遮蔽体の内周に設けられた壁
５            本体碍子
５ａ          本体碍子に設けられた貫通孔
６            中心導体
６ａ          中心導体のケース外の先端部
７            ブッシング
１４          開閉器のケース
【図１】
0005153262.tif 000002
【図２】
0005153262.tif 000003
【図３】
0005153262.tif 000004
【図４】
0005153262.tif 000005
【図５】
0005153262.tif 000006
【図６】
0005153262.tif 000007
【図７】
0005153262.tif 000008
【図８】
0005153262.tif 000009
【図９】
0005153262.tif 000010
【図１０】
0005153262.tif 000011